(57)【要約】【課題】最適視角方向の角度や数が変化する表示装置において、バックライトモジュールから出射された光の利用効率の低下を抑制し、常に明るい表示を行うことができる表示装置を提供する。【解決手段】バックライトモジュールから出射される光は指向性を有しており、かつ、その指向方向が前記最適視角方向の変化に応じて、変化する表示装置。【選択図】図１
2008176232.tif 000002
【特許請求の範囲】
【請求項１】
最適視角方向が変化する表示部と、該表示部を背面から照射するバックライトモジュールとが備えられた表示装置において、
前記バックライトモジュールから出射される光は指向性を有しており、かつ、その指向方向が前記最適視角方向の変化に応じて変化することを特徴とする表示装置。
【請求項２】
前記バックライトモジュールには、出射される光が指向性を有する光源部と、該光源部を回動させる光源回動部とが設けられており、
前記光源回動部は、前記バックライトモジュールから出射される光が前記表示部の最適視角方向に指向するように、前記光源部を回動させることを特徴とする請求項１に記載の表示装置。
【請求項３】
前記光源回動部は、前記表示部に対して最適視角方向の変更を伴う表示モードの変更が行われたことに連動して、前記バックライトモジュールから出射された光が前記表示部の最適視角方向に指向するように、前記光源部を回動させることを特徴とする請求項２に記載の表示装置。
【請求項４】
前記光源部には発光素子と、前記発光素子から発光された光に指向性を付与することができるように前記発光素子の周辺に配設された指向部材とが設けられていることを特徴とする請求項２に記載の表示装置。
【請求項５】
前記指向部材は、前記発光素子から発光された光が前記指向部材の表面で反射することによって前記光に指向性を付与することを特徴とする請求項４記載の表示装置。
【請求項６】
前記指向部材は、前記発光素子から発光された光が前記指向部材を透過することによって前記光に指向性を付与することを特徴とする請求項４記載の表示装置。
【請求項７】
前記光源部には、発光される光が指向性を有している発光素子が設けられていることを特徴とする請求項２に記載の表示装置。
【請求項８】
前記バックライトモジュールには、別個に回動可能な光源部が複数個設けられていることを特徴とする請求項２に記載の表示装置。
【請求項９】
前記バックライトモジュールには、発光素子と、前記発光素子から発光された光に指向性を付与する指向部材と、前記指向部材を回動させる指向部材回動部とが設けられており、
前記指向部材回動部は、前記バックライトモジュールから出射される光が前記表示部の最適視角方向に指向するように、前記指向部材回動部を回動させることを特徴とする請求項１に記載の表示装置。
【発明の詳細な説明】
【技術分野】
【０００１】
本発明は、最適視角方向が変化する表示装置に関するものである。
【背景技術】
【０００２】
従来、液晶表示パネルが備えられた表示部を、バックライトモジュールで背面から照射することによって画像を表示する液晶表示装置が広く使われている。
【０００３】
また、液晶表示装置の表示モードを変更することによって、最適視角方向の角度や数を変化させることができる液晶表示装置が開発されている。
【０００４】
ここで、最適視角方向とは、表示装置に画像が表示される際に想定されている観者の方向を意味する。そして、この最適視角方向の角度や数は、表示モードの変更などによって変化する。
【０００５】
図８に、一方向の最適視角方向を有する液晶表示装置において、表示モードを変更することによって、その角度が変化する例を示す。図８は、従来の液晶表示装置を示す図である。この液晶表示装置では、表示モードの変更によって、最適視角方向が、表示面に対する法線方向から、法線方向から傾いた方向に変化している。
【０００６】
また、図９に、表示モードを変更することによって、最適視角方向の数が増加する例を示す。図９は、従来の液晶表示装置を示す図である。この液晶表示装置では、表示モードの変更によって、最適視角方向が、表示面に対する法線方向一方向から、法線方向から傾いた２種類の方向（デュアルビュー液晶など）や３種類の方向（トリプルビュー液晶など）に変化している。
【０００７】
ところで、自己発光しない液晶表示パネルなどが用いられた表示装置においては、バックライトモジュールから出射される光を効率的に利用することが必要である。
【０００８】
これに関し、バックライトモジュールから出射される光に指向性を付与し、かつ、その指向方向を可変とする技術が提案されている。
【０００９】
例えば、特許文献１には、バックライトモジュールにおいて、シャッターとレンズとを併用することによって、バックライトモジュールから出射される光の指向方向を可変とする技術が記載されている。
【００１０】
また、特許文献２には、液晶表示装置全体を回動可能として、バックライトモジュールから出射される光の指向方向を可変とする技術が記載されている。
【特許文献１】特開平８−２１１３３４号公報（１９９６年８月２０日公開）
【特許文献２】特開２０００−１９４２７１号公報（２０００年７月１４日公開）
【発明の開示】
【発明が解決しようとする課題】
【００１１】
しかしながら、最適視角方向が変化する液晶表示装置においては、前記従来の技術では、バックライトモジュールから出射された光の利用効率が悪いという問題点があった。
【００１２】
すなわち、最適視角方向の数や角度が変化する液晶表示装置においては、最適視角方向の変化に応じて、バックライトモジュールから出射される光の指向方向を変化させることが好ましい。なぜなら、通常、観者は、液晶表示装置を最適視角方向から観るところ、最適視角方向とバックライトモジュールから出射された光の指向方向とが一致する場合には、バックライトモジュールから出射される光が効率的に利用され、観者が明るい表示を見ることができるからである。
【００１３】
この点、特許文献１に記載の技術においては、バックライトモジュールから出射される光の指向方向を変化させることは可能であるが、液晶表示装置の最適視角方向の変化に応じて、光の指向方向を変化させるものではなかった。したがって、常にバックライトモジュールから出射された光が効率的に利用されるものではなかった。
【００１４】
一方、前記特許文献２に記載された技術においては、液晶表示パネルとバックライトモジュールとが一体となってその角度が変わるため、液晶表示パネルの最適視角方向が変化した場合、その方向にバックライトの光の指向方向を一致させることはできなかった。
【００１５】
したがって、バックライトモジュールから出射された光が効率的に利用されるものではなかった。
【００１６】
本発明は、前記従来の問題点に鑑みなされたものであって、その目的は、最適視角方向の角度や数が変化する表示装置において、バックライトモジュールから出射された光の利用効率の低下を抑制し、常に明るい表示を行うことができる表示装置を提供することにある。
【課題を解決するための手段】
【００１７】
本発明の表示装置は、前記課題を解決するために、最適視角方向が変化する表示部と、該表示部を背面から照射するバックライトモジュールとが備えられた表示装置において、前記バックライトモジュールから出射される光は指向性を有しており、かつ、その指向方向が前記最適視角方向の変化に応じて変化することを特徴とする。
【００１８】
前記の発明によれば、バックライトモジュールから発光される光は指向性を有しており、かつ、その指向方向が最適視角方向の変化に応じて変化するので、バックライトモジュールから出射された光を最適視角方向に集中させることができる。そして、表示装置の観者は通常最適視角方向から表示装置を観るところ、本発明の表示装置では最適視角方向にバックライトモジュールのから出射された光が集中しているので、観者は明るい表示を観ることができる。
【００１９】
よって、本発明の表示装置は、最適視角方向の角度や数が変化する表示装置において、バックライトモジュールから出射された光の利用効率の低下を抑制し、常に明るい表示を行うことができる表示装置を提供することができる。
【００２０】
また、本発明の表示装置は、前記バックライトモジュールには、出射される光が指向性を有する光源部と、該光源部を回動させる光源回動部とが設けられており、前記光源回動部は、前記バックライトモジュールから出射される光が前記表示部の最適視角方向に指向するように、前記光源部を回動させることが好ましい。
【００２１】
前記の発明によれば、光源部が回動可能であり、かつ、光源部から出射される光が指向性を有しているので、光源部を回動させることのみでバックライトモジュールから出射される光を、容易に表示部の最適視角方向に指向させることができる。
【００２２】
また、本発明の表示装置は、前記光源回動部は、前記表示部に対して最適視角方向の変更を伴う表示モードの変更が行われたことに連動して、前記バックライトモジュールから出射された光が前記表示部の最適視角方向に指向するように、前記光源部を回動させることが好ましい。
【００２３】
前記の発明によれば、光源回動部が、表示部の最適視角方向の変更に連動して光源部を回動させるので、観者は、表示部の最適視角方向が変更されても、別途表示装置を操作することなく、常に明るい表示を観ることができる。
【００２４】
また、本発明の表示装置は、前記光源部には発光素子と、前記発光素子から発光された光に指向性を付与することができるように前記発光素子の周辺に配設された指向部材とが設けられていることが好ましい。
【００２５】
また、本発明の表示装置は、前記指向部材は、前記発光素子から発光された光が前記指向部材の表面で反射することによって前記光に指向性を付与することが好ましい。
【００２６】
また、本発明の表示装置は、前記指向部材は、前記発光素子から発光された光が前記指向部材を透過することによって前記光に指向性を付与することが好ましい。
【００２７】
前記の発明によれば、指向部材によって発光素子から発光された光に指向性を付与するので、従来の指向性を有しない発光素子を用いることができる。
【００２８】
したがって、安価にバックライトユニットを製造することができる。
【００２９】
また、本発明の表示装置は、発光される光が指向性を有している発光素子が設けられているものとすることができる。
【００３０】
前記の発明によれば、発光する光が指向性を有している発光素子を用いるので、光に指向性を付与するための指向部材が不要となる。
【００３１】
したがって、バックライトユニットを小型化することができる。
【００３２】
また、本発明の表示装置は、前記バックライトモジュールには、別個に回動可能な光源部が複数個設けられていることが好ましい。
【００３３】
前記の発明によれば、バックライトユニットからの出射される光の指向方向を複数方向にすることができる。
【００３４】
したがって、例えばデュアルビュー液晶など最適視角方向が複数個存在する表示装置において、最適視角方向が複数方向に変化した場合であっても、各々の最適視角方向について、明るい表示を保つことができる。
【００３５】
また、本発明の表示装置は、前記バックライトモジュールには、発光素子と、前記発光素子から発光された光に指向性を付与する指向部材と、前記指向部材を回動させる指向部材回動部とが設けられており、前記指向部材回動部は、前記バックライトモジュールから出射される光が前記表示部の最適視角方向に指向するように、前記指向部材回動部を回動させることを特徴とする。
【００３６】
前記の発明によれば、発光素子から発光された光は指向部材によって指向性が付与され、かつ、この指向部材が回動可能であるので、この指向部材の向きを変えることによって、バックライトモジュールから出射される光の指向方向を容易に変化させることができる。
【００３７】
したがって、簡易な構造で、前記光の利用効率の低下を抑制することができる。また、従来のバックライトモジュールの部品を用いることができるので、安価にバックライトユニットを製造することができる。
【発明の効果】
【００３８】
本発明の表示装置は、以上のように、前記バックライトモジュールから出射される光は指向性を有しており、かつ、その指向方向が前記最適視角方向の変化に応じて、変化することを特徴とする。
【００３９】
それゆえ、最適視角方向の角度や数が変化する表示装置において、バックライトモジュールから出射された光の利用効率の低下を抑制し、常に明るい表示を行うことができる表示装置を提供するという効果を奏する。
【発明を実施するための最良の形態】
【００４０】
〔実施の形態１〕
本発明の第１の実施形態について図１〜図４に基づいて説明すれば、以下の通りである。図１は、本発明の表示装置である液晶表示装置の実施の一形態の構成を示す図である。また、図２は、本実施の形態のバックライトモジュールの構成を示す図である。
（構成）
本実施の形態の液晶表示装置１は、図１に示すように、表示部１０と、バックライトモジュール３０と、制御部５０とを有している。以下、各々について説明する。
（表示部）
表示部１０は、液晶表示装置１において画像の表示を行う部分であり、液晶表示パネル１１を有している。
（バックライトモジュール）
バックライトモジュール３０は、前記表示部１０に設けられた液晶表示パネル１１をその背面から照射するものである。液晶表示パネル１１は、自発光型の表示素子ではないため、背面から照射されることによって画像の表示が行われる。
【００４１】
このバックライトモジュール３０には、光源部３５と、この光源部３５を回動させるための光源回動部３６とが設けられている。
【００４２】
そして、光源部３５には、図２に示すように、発光素子３７としての蛍光管と、この発光素子３７を覆う直方体形状の光源筐体３８とが設けられている。この光源筐体３８は、発光素子３７からの光を光源筐体３８の外部に出射するために、その一面が開口している。そして、光源筐体３８の内壁には、指向部材４０としての反射板が設けられている。
【００４３】
発光素子３７が発光した光は、光源筐体３８の内部において、光源筐体３８の内壁に設けられた前記指向部材４０の表面で反射を繰り返して指向性を備える。その結果、光源筐体３８から当該光源筐体３８の外部に、指向性を有する光が出射される。
（制御部）
制御部５０には、図１に示すように、表示モード制御部５１と、表示部駆動回路５２と、指向性制御回路５３と、バックライトモジュール駆動回路５４とが設けられている。
【００４４】
この表示モード制御部５１は、表示部駆動回路５２と指向性制御回路５３とに接続されており、表示モードを各々の回路に伝達する。
【００４５】
そして、指向性制御回路５３は、光源回動部３６とバックライトモジュール駆動回路５４とに接続されており、表示モードが伝達された指向性制御回路５３は、前記バックライトモジュール３０から出射される光が前記表示部１０の最適視角方向に指向するように、前記光源回動部３６を制御する。
【００４６】
また、前記表示部駆動回路５２とバックライトモジュール駆動回路５４とは、各々表示部１０と光源部３５とに接続されており、各々表示部１０と光源部３５とを駆動する。
（全体の接続）
前記の通り、本実施の形態の液晶表示装置１において、表示部１０とバックライトモジュール３０とは、ともに制御部５０に接続されており、制御部５０は、表示部１０とバックライトモジュール３０とを連動させながら制御している。以下説明する。
（表示モードの変更による最適視角方向の変化）
図３、図４（ａ）及び図４（ｂ）は、本実施の形態の液晶表示装置１における最適視野角方向と、バックライトモジュール３０から出射される光の指向方向との関係を示す図である。そして、図３は、表示モードの変更に応じて最適視角方向の角度のみが変化する液晶表示装置１を示し、図４（ａ）及び図４（ｂ）は、表示モードの変更に応じて最適視角方向の数及び角度が変化する液晶表示装置１を示している。
【００４７】
本実施の形態の液晶表示装置１は、表示モードが変更されることによって最適視角方向の角度や数が変化するものである。例えば、図３に示す液晶表示装置１においては、表示モードが変更されることによって、表示部１０の液晶表示パネル１１に表示される画像の最適視角方向が、液晶表示パネル１１の表示面に対する法線方向から、法線方向よりθ傾いた方向に変化する。このような液晶表示装置は、例えば、卓上プレゼンテーションのディスプレイで、話し手と聞き手とが交互に入れ替わるような場合に用いられる。
【００４８】
また、図４（ａ）に示す液晶表示装置１においては、表示モードが変更されることによって、表示部１０の液晶表示パネル１１に表示される画像の最適視角方向が、液晶表示パネル１１の表示面に対する法線方向の一方向から、法線方向と、法線方向よりθ傾いた方向と、法線方向より−θ傾いた方向との三方向に変化する。このような液晶表示装置は、例えば、車載のカーナビゲーション用液晶表示装置において、運転者と、後席に座る者と、助手席に座る者とに対して別々の画像を表示するような液晶表示装置などに用いられる。なお、前記液晶表示装置は、前記カーナビゲーション用液晶表示装置において運転者と助手席に座る者とに別々の画像を表示する場合にも、すなわち最適視角方向が二方向である場合にも、好適に用いることができる。
（バックライトモジュールの連動）
本実施の形態の液晶表示装置１では、個々の光源部３５から出射される光が指向性を有しており、かつ、液晶表示パネル１１の最適視角方向の変化に連動して回動可能なので、表示モードの変更による最適視角方向の変化に対応して、バックライトモジュール３０から出射される光の指向方向を最適視角方向に一致させることができる。
【００４９】
具体的には、図３に示す液晶表示装置１においては、表示モードの変更に応じて、最適視角方向が法線方向よりθ傾いた方向に変化するが、本実施の形態の液晶表示パネル１１では、光源部３５も前記法線方向よりθ傾いた方向に回動する。
【００５０】
また、図４（ａ）に示す液晶表示装置１においては、表示モードの変更に応じて、最適視角方向が法線方向と、法線方向よりθ傾いた方向と、法線方向より−θ傾いた方向との三方向に変化するが、本実施の形態の液晶表示パネル１１では、３つ設けられた光源部３５のうちの１つが前記法線方向よりθ傾いた方向に回動し、もう１つが前記法線方向より−θ傾いた方向に回動する。
【００５１】
その結果、図３及び図４（ａ）のいずれに示す液晶表示装置においても、バックライトモジュール３０から出射される光の指向方向が液晶表示パネル１１の最適視角方向に一致する。
【００５２】
したがって、一般に観者は最適視角方向から液晶表示パネル１１を観るところ、本実施の形態の液晶表示装置１は、観者の方向にバックライトモジュール３０から出射された光を集中させることができるので、出射された光の損失が抑えられ、観者は明るい表示を見ることができる。
【００５３】
なお、前記図４（ａ）は、光源部３５が３個形成された液晶表示装置１を示すものであるが、前記光源部３５の個数を増やすことによって、観者は、より良好な表示を観ることができる。以下、説明する。
【００５４】
図４（ｂ）は、光源部３５が９個形成された液晶表示装置１を示す。他の構成は、前記図４（ａ）に示す液晶表示装置１と同様である。
【００５５】
図４（ｂ）に示す液晶表示装置１では、最適視角方向が、液晶表示パネル１１の表示面に対する法線方向である場合は、９個の光源部３５全てについて、光の指向方向は法線方向に向いている。
【００５６】
これに対して表示モードの変化によって最適視角方向が３方向に変化した場合には、９個の光源部３５は、順に−θ方向、法線方向、θ方向に光の指向方向が指向するように回動される。
【００５７】
これによって、観者は、３方向のいずれの方向からも、液晶表示パネル１１の表示面の全面にわたって、明るさムラの少ない表示を観ることができる。
（連動の仕組み）
次に、前記表示部１０とバックライトモジュール３０との連動の仕組みについて説明する。
【００５８】
前記の通り、本実施の形態の液晶表示装置１において、表示部１０とバックライトモジュール３０とは、ともに制御部５０に接続されている。
【００５９】
そして、観者からの入力などに応じて、表示モードの変更が制御部５０に設けられた表示モード制御部５１から表示部駆動回路５２に伝達されると、表示部駆動回路５２は、伝達された表示モードに応じて、表示部１０に表示される画像を切り替える。
【００６０】
ここで、本液晶表示装置１では、前記表示モードの変更が表示部駆動回路５２に伝達される際、それに連動して表示モードの変更が指向性制御回路５３にも伝達される。そして、表示モードの変更が伝達された指向性制御回路５３は、その伝達された表示モードの変更によって変化する最適視角方向に対応して、光源回動部３６による光源部３５の回動を制御する。すなわち、変化後の最適視角方向に、バックライトモジュール３０から出射された光の指向方向が一致するように光源部３５を回動させる。
【００６１】
以上のように、本実施の形態の液晶表示装置１では、表示部１０における最適視角方向の変化と、バックライトモジュール３０から出射される光の指向方向の変化とが連動する。
【００６２】
なお、前記説明においては、光源部３５の個数は３個又は９個としたが、この個数は特には限定されず、液晶表示装置１の画面サイズなどに応じて、例えば２〜１２個以上とすることができる。さらに、前記光源部３５の個数を増やすことによって、例えば全方向から見る場合においても、全方向に対して明るい表示を行うことができる。
【００６３】
また、前記説明においては、１個の光源部３５に設けられる発光素子３７としての蛍光管の個数は１個としたが、この個数は特には限定されず、例えば、２個又はそれ以上としても良い。
【００６４】
また、前記説明においては、発光素子３７として蛍光管を用いたが、発光素子３７の種類は特には限定されず、例えばＬＥＤ（Ｌｉｇｈｔ  Ｅｍｉｔｔｉｎｇ  Ｄｉｏｄｅ）を用いても良い。その場合、１個の光源部３５に設けられるＬＥＤの個数は特には限定されないが、例えば１〜４０個以上が好ましい。
【００６５】
また、前記説明においては、光源部３５からの出射される光に指向性を付与する方法として、指向部材４０の表面で前記光を反射させる方法を用いたが、この指向性を付与する方法は特には限定されず、例えば、指向部材４０に前記光を透過させることによって、光に指向性を付与してもよい。具体的には、前記光源筐体３８の開口した一面に、透過光に指向性を付与できるような指向部材４０、例えばレンズ部材などを設けても良い。
〔実施の形態２〕
本発明の第２の実施形態について図５に基づいて説明すれば、以下の通りである。図５は、本発明の第２の実施の形態のバックライトモジュール３０の構成を示す図である
なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００６６】
本実施の形態の液晶表示装置１は、発光素子３７として、前記実施の形態１における通常の蛍光管に替えて、その出射光が指向性を有する蛍光管を用いることが特徴である。
【００６７】
すなわち、実施の形態１においては、発光素子３７としては、その出射光に指向性を有しない通常の蛍光管を用い、光源筐体３８の内壁に設けられた指向部材４０としての反射板に出射光を反射させることによって、光に指向性を付与していた。
【００６８】
これに対して本実施の形態のおいては、発光素子３７として、その出射光自体が指向性を有する蛍光管を用いている。このような蛍光管の構成としては、例えば、蛍光管のガラスに指向性を有する材料（レンズガラスや屈折率が制御されたガラスなど）が用いられた構成が考えられる。また、蛍光管の全面に指向性シートが組み込まれた簡易な構成も考えられる。なお、出射光が指向性を有する発光素子の他の例としては、ＬＥＤなどがある。
【００６９】
したがって、図５に示すように、バックライトモジュール３０には、前記蛍光管が設けられているのみであり、光源筐体３８は設けられていない。
【００７０】
そして、バックライトモジュール３０から出射される光の指向方向を変化させるには、前記発光素子３７を回動させれば良い。
【００７１】
本実施の形態の液晶表示装置１では、光源筐体３８及び指向部材４０を用いる必要がないので、バックライトモジュール３０の構造を簡素化することができ、また、バックライトモジュール３０を薄くすることができる。
〔第３の実施形態〕
本発明の第３の実施形態について図６に基づいて説明すれば、以下の通りである。図６は、本発明の第３の実施の形態のバックライトモジュールの構成を示す図である
なお、本実施の形態において説明すること以外の構成は、前記各実施の形態と同じである。また、説明の便宜上、前記各実施の形態の図面に示した部材と同一の機能を有する部材については、同一の符号を付し、その説明を省略する。
【００７２】
本実施の形態の液晶表示装置１は、光源部３５ではなくその替わりに指向部材４０が回動することが特徴である。
【００７３】
すなわち、実施の形態１においては、図１に示すように、光源部３５から出射された光に指向性を付与するために、光源部３５に指向部材４０を設け、さらに、光源部３５から出射された光の指向方向を変化させるために、光源部３５を回動可能に設けていた。
【００７４】
これに対して本実施の形態では、発光素子３７として従来の蛍光管をバックライト本体３１内に設け、蛍光管から発光された指向性を有しない光に指向性を付与し、かつ、その指向方向を変化させるために、指向部材４０が回動可能に設けられている。以下、説明する。
【００７５】
本実施の形態の液晶表示装置においては、バックライト本体３１の両側部に各々１個、合計２個の発光素子３７が設けられている。そして、バックライト本体３１の出射面の近傍には、指向部材４０としての長方形状に加工された指向性レンズ、例えばレンズガラスや指向性レンズシートなどが、指向部材回動部４１を介して回動可能に設けられている。
【００７６】
そして、前記指向部材回動部４１は、指向性制御回路（図示せず）に接続されており、前記実施の形態１と同様に、表示部（図示せず）への表示モードの変更と連動して、その回動が制御されている。また、発光素子３７は前記実施の形態１における光源部３５と同様にバックライトモジュール駆動回路（図示せず）に接続されている。
【００７７】
本実施の形態の液晶表示装置では、前記発光素子３７が発光した光を、前記指向部材４０を介してバックライトモジュールから出射するので、出射光に指向性が付与される。さらに、前記指向部材４０を指向部材回動部４１によって回動させることができるので、出射光の指向方向を変化させることができる。さらに、前記指向部材回動部４１は、表示部（図示せず）への表示モードの変更と連動して、その回動が制御されるので、表示部（図示せず）の最適視角方向とバックライトモジュールからの出射光の指向方向とを一致させることができる。
【００７８】
したがって、一般に観者は最適視角方向から液晶表示パネルを観るところ、本実施の形態の液晶表示装置は、観者の方向にバックライトモジュールから出射された光を集中させることができるので、出射された光の損失が抑えられ、観者は明るい表示を見ることができる。
【００７９】
また、本実施の形態の液晶表示装置では、回動させる部材が実施の形態１に記載した光源部よりも構造が簡易な指向部材４０であるので、バックライトモジュール３０の回動部（本実施の形態においては指向部材回動部４１）の構造を簡素化することができ、また、バックライトモジュール３０を薄くすることができる。
【００８０】
なお、前記指向部材４０は、透過光又は反射光の光路を変化させることができる材料であれば特には限定されず、例えば指向性レンズシートを細分化して透過光の光路を変化させることができるものや、指向性反射シートなど反射光の光路を規定することができるものを用いることができる。
（指向部材の外付け）
なお、前記回動可能な指向部材４０は、バックライト本体３１の内部に設けられることに限定されず、例えば、図７に示すように、バックライト本体３１の外部に設けても良い。ここで、図７は本発明の他の実施の形態の液晶表示装置の構成を示す図である。
【００８１】
この構成によれば、従来のバックライト本体３１を用いることができるので、バックライトモジュール全体をより低価格で製造することができる。
【００８２】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００８３】
例えば、本発明の表示装置は、透過型表示装置や半透過型表示装置のみならず、反射型表示装置とすることもできる。この場合、反射型表示装置の反射板の角度を変えることによって、バックライトモジュールから出射される光の指向方向を変化させることができる。
【産業上の利用可能性】
【００８４】
本発明は、バックライトを用いる表示装置、特に最適視角方向が変化する表示装置に利用することができる。
【図面の簡単な説明】
【００８５】
【図１】本発明の液晶表示装置の実施の一形態の構成を示す図である。
【図２】本発明のバックライトモジュールの構成を示す図である。
【図３】本発明の液晶表示装置における最適視野角方向と、バックライトモジュールから出射される光の指向方向との関係を示す図である。
【図４】本発明の液晶表示装置における最適視野角方向と、バックライトモジュールから出射される光の指向方向との関係を示し、（ａ）は蛍光灯が３本の例を示す図であり、（ｂ）は蛍光灯が９本の例を示す図である。
【図５】本発明の他の実施の形態のバックライトモジュールの構成を示す図である。
【図６】本発明の他の実施の形態の液晶表示装置の構成を示す図である。
【図７】本発明の他の実施の形態の液晶表示装置の構成を示す図である。
【図８】従来の液晶表示装置の構成を示す図である。
【図９】従来の液晶表示装置の構成を示す図である。
【符号の説明】
【００８６】
１    液晶表示装置
１０  表示部
１１  液晶表示パネル
３０  バックライトモジュール
３１  バックライト本体
３５  光源部
３６  光源回動部
３７  発光素子
３８  光源筐体
４０  指向部材
４１  指向部材回動部
４５  指向部
５０  制御部
５１  表示モード制御部
５２  表示部駆動回路
５３  指向性制御回路
５４  バックライトモジュール駆動回路
【図１】
2008176232.tif 000003
【図２】
2008176232.tif 000004
【図３】
2008176232.tif 000005
【図４】
2008176232.tif 000006
【図５】
2008176232.tif 000007
【図６】
2008176232.tif 000008
【図７】
2008176232.tif 000009
【図８】
2008176232.tif 000010
【図９】
2008176232.tif 000011